(57)【要約】【課題】外力が作用しても倒壊しにくい隔壁を実現することで、良好な画像表示を行うことが可能なプラズマディスプレイパネルを実現することを目的とする。【解決手段】プラズマディスプレイパネル１を、複数の隔壁２を挟み放電空間３を形成するように対向配置した前面板４と背面板５とを備え、隔壁２は、屈曲部２ａを有する略蛇行形状であり、且つ隣り合う隔壁２とは略平行という形状とする。これにより、外力が作用しても倒壊しにくい隔壁を備えたプラズマディスプレイパネルを実現できる。【選択図】　図１
2004111302.tif 000002
【特許請求の範囲】
【請求項１】
複数の隔壁を挟み放電空間を形成するように対向配置した２枚の基板を備え、隔壁は、屈曲部を有する略蛇行形状であり、且つ隣り合う隔壁とは略平行であることを特徴とするプラズマディスプレイパネル。
【発明の詳細な説明】
【０００１】
【発明の属する技術分野】
本発明は、大画面で、薄型、軽量のディスプレイ装置として知られているプラズマディスプレイパネル（以下、ＰＤＰと記す）に関するものである。
【０００２】
【従来の技術】
近年、ＰＤＰは、視認性に優れた薄型の表示デバイスとして注目されており、高輝度、高精細化および大画面化が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
その構造は、走査電極と維持電極とからなる表示電極とを複数有する前面板と、表示電極に対して直交する複数のデータ電極を有する背面板とを、前面板および背面板のうちのいずれか一方に形成した隔壁を挟み、内側に放電空間を形成するように対向配置したもので、隔壁により仕切られ、且つ表示電極とデータ電極との交差部を放電セルとし、放電セル内に蛍光体層を備えるとともに放電ガスを封入したものである。
【０００５】
そして、放電セル内での放電により発生する中心波長１４７ｎｍの真空紫外線により蛍光体層を励起して発光させることで画像表示を行う。
【０００６】
ここで、隔壁は、放電セルの区分、すなわち表示画像の画素の区分を決定するものであることから、高形状精度および高位置精度が要求される一方、その形状は、幅が狭いほど、また高さが高いほど好ましい。広い放電空間が確保できるためである。例えば３７型ＨＤ仕様では、５７６０本の隔壁を１４０μｍピッチで形成しており、その際、隔壁の高さは１７５μｍ、幅は３５μｍである（例えば、非特許文献１参照）。
【０００７】
【非特許文献１】
日経マイクロデバイス別冊、フラットパネルディスプレイ　２００２　実務編、ｐ２４２−ｐ２４７
【０００８】
【発明が解決しようとする課題】
しかしながら、上述のような非常に高アスペクト比の形状の隔壁は、形成すること自体、非常に困難であることに加え、隔壁形成後、蛍光体層の形成や、前面板と背面板との重ね合わせ等の後工程を実施する際、細心の注意を払ったとしても、隔壁が根元付近から倒壊してしまうという問題が発生する場合があった。このような場合には、当然、良好な画像表示を行うことはできなくなる。
【０００９】
隔壁形成後、倒壊してしまう原因は、何らかの外力が隔壁に作用する状態が発生することであるが、隔壁自身が高アスペクト比で、非常に不安定な形状であり、微弱な外力によってでも倒壊してしまうということにも問題があると考えられる。
【００１０】
本発明はこのような状況に鑑みてなされたものであり、外力が作用したとしても倒壊しにくい隔壁を備えたＰＤＰを実現することを目的とする。
【００１１】
【課題を解決するための手段】
上記目的を達成するために本発明のプラズマディスプレイパネルは、複数の隔壁を挟み放電空間を形成するように対向配置した２枚の基板を備え、隔壁は、屈曲部を有する略蛇行形状であり、且つ隣り合う隔壁とは略平行であることを特徴とするものである。
【００１２】
【発明の実施の形態】
以下、本発明の一実施の形態について、図を用いて以下に説明する。
【００１３】
図１は、本実施の形態１によるＰＤＰの概略構成を示す断面斜視図である。
【００１４】
ＰＤＰ１は、複数の隔壁２を挟み放電空間３を形成するように対向配置した前面板４と背面板５との２枚の基板を備えるものである。
【００１５】
前面板４は、走査電極６と維持電極７とが対になった表示電極８を複数付設した、例えばガラスのような透明且つ絶縁性の基板９を、誘電体層１０、およびＭｇＯ蒸着膜による保護膜１１で覆った構造となっている。走査電極６は透明電極６ａとその上に形成された例えばＣｒ／Ｃｕ／ＣｒまたはＡｇ等の金属材料による良導電性のバス電極６ｂとからなり、維持電極７は透明電極７ａとその上に形成された、同じく例えばＣｒ／Ｃｕ／ＣｒまたはＡｇ等の金属材料による良導電性のバス電極７ｂとからなるものである。
【００１６】
また、背面板５は、データ電極１２を複数付設した、例えばガラスのような絶縁性の基板１３を誘電体層１４で覆い、誘電体層１４上の、データ電極１２間に対する箇所に、データ電極１２と平行してストライプ状の隔壁２を設け、誘電体層１４の表面と隔壁２の側面にかけてストライプ状に蛍光体層１５を設けた構造となっている。
【００１７】
そして前面板４と背面板５とは、走査電極６および維持電極７とデータ電極１２とが直交するように放電空間３を挟んで対向して配置されている。そして放電空間３には、放電ガスとして、ヘリウム、ネオン、アルゴン、キセノンのうち、少なくとも１種類の希ガスが封入されており、隔壁２によって仕切られ走査電極６および維持電極７とデータ電極１２との交差部の放電空間３が放電セル１６（単位発光領域）となる。そして、放電セル１６内でのガス放電により発生する紫外線により蛍光体層１５を励起して発光させ、各放電セル１６の点灯、非点灯の組み合わせで画像表示を行う。
【００１８】
ここで、本発明の特徴的な点は、隔壁２がそれ自身で自立するように、隔壁２の形状が、「屏風」のように、屈曲部２ａを有する略蛇行形状となっており、且つ隣り合う隔壁２とは略平行である、言い換えれば、隣り合う隔壁２が、屈曲部２ａで同方向に折れ曲がったジグザグ形状であるということである。隔壁２の状態の詳細を図２に示す。図２は、背面板５の概略構成を示す平面図であり、説明の簡素化のために、誘電体層１４、蛍光体層１５は省略してあり、また前面板４との位置関係が判るように、前面板４に形成される表示電極８を一点鎖線で示してある。
【００１９】
隔壁２を上述のような形状とすることにより、外力の作用に対しての強度が増し、高アスペクト比であっても倒壊しにくいということについては、図３に示すように、例えば、板１００は、平板のままの状態（図３（ａ））では不安定で自立することが非常に困難であるが、折り目１００ａで曲げてやれば（図３（ｂ））、安定的に自立するようになることと同様である。
【００２０】
また、本発明においては、隔壁２は、隣り合う隔壁２どうしが略平行となるように形成しており、各放電セル１６での放電空間の容積は等しくなり、各放電セル１６での放電発光の状態は均一となる。
【００２１】
また、隔壁２の略蛇行形状の蛇行の折り返し数は、特には制限はなく、図１および図２に示す構成以外にも、図４に示すような、折り返し数の少ない隔壁２であっても、自立するものであれば構わない。
【００２２】
なお、以上述べた、本実施の形態での略蛇行形状とは、図１および図２に示すような形態の他、屈曲部が丸みを持った、略Ｓ字形状の略蛇行形状の隔壁も当然含むものである。
【００２３】
また、隔壁２の間に第二の隔壁が形成され、隔壁２と第二の隔壁とにより格子状となった構成においても、本発明は同様の効果を奏することは明らかである。
【００２４】
【発明の効果】
以上説明したように本発明によれば、安定して自立する形状で、外力が作用しても倒壊しにくい隔壁を備えたＰＤＰを実現できる。
【図面の簡単な説明】
【図１】本発明の一実施の形態によるプラズマディスプレイパネルの概略構成を示す断面斜視図
【図２】本発明の一実施の形態によるプラズマディスプレイパネルの背面板の概略構成を示す平面図
【図３】本発明の効果を説明するための図
【図４】本発明の他の実施の形態によるプラズマディスプレイパネルの背面板の概略構成を示す平面図
【符号の説明】
１　プラズマディスプレイパネル
２　隔壁
２ａ　屈曲部
３　放電空間
４　前面板
５　背面板
９　基板
１３　基板
１６　放電セル
【図１】
2004111302.tif 000003
【図２】
2004111302.tif 000004
【図３】
2004111302.tif 000005
【図４】
2004111302.tif 000006